(57)【要約】【課題】  基材が半導体発光素子からの光に晒されることを抑制することが可能な半導体発光装置および半導体発光装置の製造方法を提供すること。【解決手段】  半導体発光装置Ａ１は、基材２および導電部３を有する基板１と、基板１に支持された半導体発光素子４と、基板１の少なくとも一部を覆う樹脂部５と、を備える。基材２は、ｚ方向において互いに反対側を向く主面２１および裏面２２を有する。導電部３は、主面１１に形成された主面部３１を含む。半導体発光素子４は、主面部３１に搭載されている。樹脂部５は、ｚ方向視において半導体発光素子４を囲む枠状部５０と、枠状部５０に繋がり且つ基材２の主面２１のうち主面部３１から露出する部分を覆う主面被覆部５１とを含む。【選択図】  図３
2020167366.tif 000002
【特許請求の範囲】
【請求項１】
基材および導電部を有する基板と、
前記基板に支持された半導体発光素子と、
前記基板の少なくとも一部を覆う樹脂部と、を備える半導体発光装置であって、
前記基材は、厚さ方向において互いに反対側を向く主面および裏面を有し、
前記導電部は、前記主面に形成された主面部を含み、
前記半導体発光素子は、前記主面部に搭載されており、
前記樹脂部は、前記厚さ方向視において前記半導体発光素子を囲む枠状部と、前記枠状部に繋がり且つ前記基材の前記主面のうち前記主面部から露出する部分を覆う主面被覆部と、を含む、半導体発光装置。
【請求項２】
前記主面部は、前記厚さ方向と直角である第１方向において互いに離間する主面第１部および主面第２部を含み、
前記主面被覆部は、前記主面第１部と前記主面第２部との間に位置する、請求項１に記載の半導体発光装置。
【請求項３】
前記主面第１部は、前記主面と同じ側を向く主面部第１面を有し、
前記主面第２部は、前記主面と同じ側を向く主面部第２面を有し、
前記主面被覆部は、前記主面部第１面および前記主面部第２面と面一である主面被覆部第１面を有する、請求項２に記載の半導体発光装置。
【請求項４】
前記主面第１部は、前記主面部第１面に繋がり且つ前記厚さ方向において前記主面に近づくほど前記第１方向において前記主面部第１面から離間するように傾斜した主面部第１傾斜面を有し、
前記主面部第１傾斜面は、前記主面被覆部によって覆われている、請求項３に記載の半導体発光装置。
【請求項５】
前記主面第２部は、前記主面部第２面に繋がり且つ前記厚さ方向において前記主面に近づくほど前記第１方向において前記主面部第２面から離間するように傾斜した主面部第２傾斜面を有し、
前記主面部第２傾斜面は、前記主面被覆部によって覆われている、請求項４に記載の半導体発光装置。
【請求項６】
前記主面被覆部は、前記厚さ方向視において前記枠状部に囲まれた領域を前記第１方向と直角である第２方向に横断している、請求項２または３に記載の半導体発光装置。
【請求項７】
前記導電部は、前記裏面に形成された裏面部を含む、請求項２ないし６のいずれかに記載の半導体発光装置。
【請求項８】
前記裏面部は、前記主面第１部に導通する裏面第１部および前記主面第２部に導通する裏面第２部を含む、請求項７に記載の半導体発光装置。
【請求項９】
前記樹脂部は、前記裏面のうち前記裏面部から露出する部分を覆う裏面被覆部を含む、請求項８に記載の半導体発光装置。
【請求項１０】
前記基材は、前記厚さ方向に貫通する樹脂部用貫通孔を有し、
前記樹脂部は、前記樹脂部用貫通孔に形成され且つ前記主面被覆部および前記裏面被覆部を繋ぐ連結部を含む、請求項９に記載の半導体発光装置。
【請求項１１】
前記裏面第１部は、前記裏面と同じ側を向く裏面部第１面を有し、
前記裏面第２部は、前記裏面と同じ側を向く裏面部第２面を有し、
前記裏面被覆部は、前記裏面部第１面および前記裏面部第２面と面一である裏面被覆部第１面を有する、請求項９または１０に記載の半導体発光装置。
【請求項１２】
前記裏面第１部は、前記裏面部第１面に繋がり且つ前記厚さ方向において前記裏面に近づくほど前記第１方向において前記裏面部第１面から離間するように傾斜した裏面部第１傾斜面を有し、
前記裏面部第１傾斜面は、前記裏面被覆部によって覆われている、請求項１１に記載の半導体発光装置。
【請求項１３】
前記裏面第２部は、前記裏面部第２面に繋がり且つ前記厚さ方向において前記裏面に近づくほど前記第１方向において前記裏面部第２面から離間するように傾斜した裏面部第２傾斜面を有し、
前記裏面部第２傾斜面は、前記裏面被覆部によって覆われている、請求項１２に記載の半導体発光装置。
【請求項１４】
前記半導体発光素子は、前記主面第１部に搭載されている、請求項２ないし１３のいずれかに記載の半導体発光装置。
【請求項１５】
前記半導体発光素子と前記主面第２部とに接続されたワイヤをさらに備える、請求項１４に記載の半導体発光装置。
【請求項１６】
前記半導体発光素子と前記主面第１部とに接続されたワイヤをさらに備える、請求項１５に記載の半導体発光装置。
【請求項１７】
前記半導体発光素子は、前記主面第１部および前記主面第２部に導通接合されている、請求項２ないし１３のいずれかに記載の半導体発光装置。
【請求項１８】
前記枠状部に囲まれた空間に充填され且つ前記半導体発光素子を覆うとともに前記半導体発光素子からの光を透過させる透光樹脂部をさらに備える、請求項１ないし１６のいずれかに記載の半導体発光装置。
【請求項１９】
基材および前記基材の主面に形成された導電性の主面部を含む基板であって、前記主面部が主面第１部および主面第２部を含んでいる基板を用意する工程と、
金型の凸部の先端面を前記主面第１部および前記主面第２部に当接させ且つ前記凸部の前記先端面と前記主面との間に隙間を生じた状態で、前記基板および前記金型によって規定される空間に樹脂材料を充填する工程と、
前記樹脂材料を硬化させることにより、枠状部および主面被覆部を含む樹脂部を形成する工程と、
前記枠状部に囲まれた領域に半導体発光素子を搭載する工程と、
を備えており、
前記主面被覆部が、前記基材の前記主面のうち前記主面部から露出する部分を覆い且つ前記枠状部に繋がる構成とされている、半導体発光装置の製造方法。
【発明の詳細な説明】
【技術分野】
【０００１】
本開示は、半導体発光装置に関する。また本開示は、半導体発光装置の製造方法に関する。
【背景技術】
【０００２】
半導体発光素子を光源として備える半導体発光装置が提案されている。特許文献１には、従来の半導体発光装置の一例が開示されている。同文献に開示された半導体発光装置は、ＬＥＤチップと、ＬＥＤチップが搭載された金属製のリードと、リードの一部を覆う樹脂部とを備える。樹脂部には、ＬＥＤチップを囲む枠状部が形成されている。
【先行技術文献】
【特許文献】
【０００３】
【特許文献１】特開２０１７−０１７２５６号公報
【発明の概要】
【発明が解決しようとする課題】
【０００４】
ＬＥＤチップを搭載する部材として、金属製のリードに代えて、基材および導電部を含む基板を用いることも可能である。しかしながら、そのような構成では、基材がＬＥＤチップからの光に晒されることにより劣化するおそれがある。また、導電部の形状や配置によっては、所望の導通状態が得られない（たとえば、ＬＥＤチップが基板に適切に搭載されない、あるいは、半導体発光装置が外部基板に適切に実装されない）といった不具合が生じうる。
【０００５】
上記した事情に鑑み、本開示は、基材の劣化を抑制することが可能な半導体発光装置を提供することを一の課題とする。また、本開示は、ＬＥＤチップの搭載や半導体発光装置の実装を適切に行い得る半導体発光装置を提供することを別の課題とする。
【課題を解決するための手段】
【０００６】
本開示の一の側面によれば、半導体発光装置が提供される。この半導体発光装置は、基材および導電部を有する基板と、前記基板に支持された半導体発光素子と、前記基板の少なくとも一部を覆う樹脂部と、を備える半導体発光装置であって、前記基材は、厚さ方向において互いに反対側を向く主面および裏面を有し、前記導電部は、前記主面に形成された主面部を含み、前記半導体発光素子は、前記主面部に搭載されており、前記樹脂部は、前記厚さ方向視において前記半導体発光素子を囲む枠状部と、前記枠状部に繋がり且つ前記基材の前記主面のうち前記主面部から露出する部分を覆う主面被覆部と、を含む。
【０００７】
また、本開示の一の側面によれば、半導体発光装置の製造方法が提供される。この製造方法は、主面を有する基材と前記主面に形成された主面第１部および主面第２部を含む主面部を有する導電部と具備する基板を用意する工程と、金型の凸部の先端面を前記主面第１部の主面部第１面および前記主面第２部の主面部第２面に当接させ且つ前記凸部の先端面と前記主面との間に隙間を生じた状態で、樹脂材料を充填する工程と、前記樹脂材料を硬化させることにより、枠状部と、前記基材の主面に形成された前記基板に支持された半導体発光素子と、前記枠状部に繋がり且つ前記基材の前記主面のうち前記主面部から露出する部分を覆う主面被覆部と、を含む樹脂部を形成する工程と、前記枠状部に囲まれた領域に半導体発光素子を搭載する工程と、を備える。
【０００８】
また、本開示の一の側面によれば、半導体発光装置が提供される。この半導体発光装置は、基材および導電部を有する基板と、前記基板に支持された半導体発光素子と、前記基板の少なくとも一部を覆う樹脂部と、を備える半導体発光装置であって、前記基材は、厚さ方向において互いに反対側を向く主面および裏面と、前記主面および前記裏面を繋ぎ且つ前記厚さ方向と直角である第１方向において互いに反対側に位置する第１側面および第２側面と、前記第１側面から凹み且つ前記主面および前記裏面に到達する第１溝部と、前記厚さ方向に貫通する第１貫通孔と、を有し、前記導電部は、前記主面に形成された主面部と、前記裏面に形成された裏面部と、前記第１溝部に形成された第１溝部連結部および前記第１貫通孔に形成された第１貫通孔連結部を少なくとも含む連結部と、を有し、前記主面部は、前記半導体発光素子が搭載された主面第１部を有し、前記裏面部は、裏面第１部を有し、前記第１貫通孔連結部は、前記主面第１部と前記裏面第１部とを連結しており、前記第１溝部連結部は、前記裏面第１部に連結しており、前記主面第１部と前記第１溝部連結部とは、互いに離間している。
【０００９】
本開示のその他の特徴および利点は、添付図面を参照して以下に行う詳細な説明によって、より明らかとなろう。
【図面の簡単な説明】
【００１０】
【図１】第１の側面の第１実施形態に係る半導体発光装置を示す平面図である。
【図２】第１の側面の第１実施形態に係る半導体発光装置を示す底面図である。
【図３】図１のＩＩＩ−ＩＩＩ線に沿う断面図である。
【図４】図１のＩＶ−ＩＶ線に沿う断面図である。
【図５】図１のＶ−Ｖ線に沿う断面図である。
【図６】図１のＶＩ−ＶＩ線に沿う断面図である。
【図７】図１のＶＩＩ−ＶＩＩ線に沿う断面図である。
【図８】第１の側面の第１実施形態に係る半導体発光装置の製造方法の一工程を示す断面図である。
【図９】第１の側面の第１実施形態に係る半導体発光装置の製造方法の一工程を示す断面図である。
【図１０】図９のＸ−Ｘ線に沿う断面図である。
【図１１】図９のＸI−ＸI線に沿う断面図である。
【図１２】第１の側面の第１実施形態に係る半導体発光装置の製造方法の一工程を示す断面図である。
【図１３】図１２のＸＩＩＩ−ＸＩＩＩ線に沿う断面図である。
【図１４】第１の側面の第１実施形態に係る半導体発光装置の製造方法の一工程を示す断面図である。
【図１５】第１の側面の第１実施形態に係る半導体発光装置の製造方法の一工程を示す断面図である。
【図１６】第１の側面の第１実施形態に係る半導体発光装置の第１変形例を示す平面図である。
【図１７】図１６のＸＶＩＩ−ＸＶＩＩ線に沿う断面図である。
【図１８】第１の側面の第２実施形態に係る半導体発光装置を示す平面図である。
【図１９】第１の側面の第２実施形態に係る半導体発光装置を示す底面図である。
【図２０】図１８のＸＸ−ＸＸ線に沿う断面図である。
【図２１】図１８のＸＸＩ−ＸＸＩ線に沿う断面図である。
【図２２】図１８のＸＸＩＩ−ＸＸＩＩ線に沿う断面図である。
【図２３】第１の側面の第２実施形態に係る半導体発光装置の製造方法の一工程を示す断面図である。
【図２４】第１の側面の第３実施形態に係る半導体発光装置を示す平面図である。
【図２５】第１の側面の第４実施形態に係る半導体発光装置を示す平面図である。
【図２６】図２５のＸＸＶＩ−ＸＸＶＩ線に沿う断面図である。
【図２７】第１の側面の第５実施形態に係る半導体発光装置を示す平面図である。
【図２８】第１の側面の第５実施形態に係る半導体発光装置を示す底面図である。
【図２９】図２７のＸＸＩＸ−ＸＸＩＸ線に沿う断面図である。
【図３０】第１の側面の第６実施形態に係る半導体発光装置を示す平面図である。
【図３１】第１の側面の第６実施形態に係る半導体発光装置を示す底面図である。
【図３２】図３０のＸＸＸＩＩ−ＸＸＸＩＩ線に沿う断面図である。
【図３３】第１の側面の第７実施形態に係る半導体発光装置を示す平面図である。
【図３４】図３３のＸＸＸＩＶ−ＸＸＸＩＶ線に沿う断面図である。
【図３５】第２の側面に基づく第１実施形態に係る半導体発光装置を示す平面図である。
【図３６】第２の側面に基づく第１実施形態に係る半導体発光装置を示す底面図である。
【図３７】図３５のＸＸＸＶＩＩ−ＸＸＸＶＩＩ線に沿う断面図である。
【図３８】図３５のＸＸＸＶＩＩＩ−ＸＸＸＶＩＩＩ線に沿う断面図である。
【図３９】図３５のＸＸＸＩＸ−ＸＸＸＩＸ線に沿う断面図である。
【図４０】図３５のＸＬ−ＸＬ線に沿う断面図である。
【図４１】第２の側面に基づく第１実施形態に係る半導体発光装置の製造方法の一工程を示す断面図である。
【図４２】図４１のＸＬＩＩ−ＸＬＩＩ線に沿う断面図である。
【図４３】図４１のＸＬＩＩＩ−ＸＬＩＩＩ線に沿う断面図である。
【図４４】第２の側面に基づく第１実施形態に係る半導体発光装置の製造方法の一工程を示す断面図である。
【図４５】図４４のＸＬＶ−ＸＬＶ線に沿う断面図である。
【図４６】第２の側面に基づく第１実施形態に係る半導体発光装置の第１変形例を示す断面図である。
【図４７】第２の側面に基づく第１実施形態に係る半導体発光装置の第２変形例を示す断面図である。
【図４８】第２の側面に基づく第１実施形態に係る半導体発光装置の第３変形例を示す断面図である。
【図４９】第２の側面に基づく第２実施形態に係る半導体発光装置を示す断面図である。
【図５０】第２の側面に基づく第３実施形態に係る半導体発光装置を示す平面図である。
【図５１】第２の側面に基づく第３実施形態に係る半導体発光装置を示す底面図である。
【図５２】第２の側面に基づく第４実施形態に係る半導体発光装置を示す断面図である。
【図５３】第２の側面に基づく第５実施形態に係る半導体発光装置を示す平面図である。
【図５４】図５３のＬＩＶ−ＬＩＶ線に沿う断面図である。
【発明を実施するための形態】
【００１１】
以下、本開示の好ましい実施形態につき、図面を参照して具体的に説明する。
【００１２】
本開示における「第１」、「第２」、「第３」等の用語は、単にラベルとして用いたものであり、それらの対象物に順列を付することを意図していない。
【００１３】
図１〜図１５は、本開示の第１の側面の第１実施形態に係る半導体発光装置およびその製造方法を示している。図示された半導体発光装置Ａ１は、基板１、半導体発光素子４、樹脂部５および透光樹脂部６を備えている。
【００１４】
図１は、半導体発光装置Ａ１を示す平面図である。図２は、半導体発光装置Ａ１を示す底面図である。図３は、図１のＩＩＩ−ＩＩＩ線に沿う断面図である。図４は、図１のＩＶ−ＩＶ線に沿う断面図である。図５は、図１のＶ−Ｖ線に沿う断面図である。図６は、図１のＶＩ−ＶＩ線に沿う断面図である。図７は、図１のＶＩＩ−ＶＩＩ線に沿う断面図である。図８は、半導体発光装置Ａ１の製造方法の一工程を示す断面図である。図９は、半導体発光装置Ａ１の製造方法の一工程を示す断面図である。図１０は、図９のＸ−Ｘ線に沿う断面図である。図１１は、図９のＸI−ＸI線に沿う断面図である。図１２は、半導体発光装置Ａ１の製造方法の一工程を示す断面図である。図１３は、図１２のＸＩＩＩ−ＸＩＩＩ線に沿う断面図である。図１４は、半導体発光装置Ａ１の製造方法の一工程を示す断面図である。図１５は、半導体発光装置Ａ１の製造方法の一工程を示す断面図である。図１においては、透光樹脂部６を省略している。
【００１５】
半導体発光装置Ａ１の大きさの一例を挙げると、ｘ方向寸法が１．６ｍｍ程度、ｙ方向寸法が０．８ｍｍ程度、ｚ方向寸法が０．６ｍｍ程度である。なお、半導体発光装置Ａ１の大きさや形状は、図示の例に限定されるものではなく、適宜改変可能である。
【００１６】
基板１は、半導体発光装置Ａ１の土台となる。基板１は、基材２および導電部３を有する。
【００１７】
基材２は、絶縁性材料からなる。基材２を構成する絶縁性材料は何ら限定されず、たとえばガラスエポキシ樹脂等が挙げられる。基材２は、主面２１および裏面２２を有する。図３〜図７に示すように、主面２１および裏面２２は、ｚ方向において互いに反対側を向いている。図示された例においては、主面２１および裏面２２は、ｚ方向に対して直角な平面である。基材２の形状は、図示の例に限定されるものではなく、適宜改変可能である。図１および図２に示すように、基材２は、たとえば、ｚ方向視において矩形状である。基材２の厚さは、たとえば０．２ｍｍ程度である。
【００１８】
基材２には、導電部用第１貫通孔２５および導電部用第２貫通孔２６が形成されている。導電部用第１貫通孔２５は、基材２をｚ方向に貫通している。図１および図２に示すように、図示された例においては、２つの導電部用第１貫通孔２５がｙ方向に離間して設けられている。導電部用第２貫通孔２６は、基材２をｚ方向に貫通している。図１および図２に示すように、図示された例においては、２つの導電部用第２貫通孔２６がｙ方向に離間して設けられている。２つの導電部用第２貫通孔２６は、２つの導電部用第１貫通孔２５に対してｘ方向に離間して配置されている。なお、導電部用第１貫通孔２５および導電部用第２貫通孔２６の個数や大きさ、配置等は、図示の例に限定されるものではなく、適宜改変可能である。
【００１９】
導電部３は、基材２に形成されており、半導体発光素子４への導通経路や、半導体発光素子４を搭載するための部位を提供している。導電部３は、導電性材料からなり、Ｃｕ、Ｎｉ、Ｐｄ，Ｔｉ，Ａｕ等の金属からなる。導電部３の位置構成例を挙げると、基材２上に形成されたＴｉおよびＣｕからなる下地めっき層に、電解めっきによってＣｕめっき層が形成された構成が挙げられる。
【００２０】
本実施形態においては、図１〜図７に示すように、導電部３は、主面部３１、裏面部３２、第１連結部３３および第２連結部３４を含む。
【００２１】
主面部３１は、基材２の主面２１上に形成されている。図示された例においては、主面部３１は、主面第１部３１１、主面第２部３１２、第１延出部３１３および第２延出部３１４を含む。主面部３１の厚さは、たとえば４０μｍ程度であるが、本開示がこれに限定されるわけではない。
【００２２】
主面第１部３１１は、半導体発光素子４の一方の電極に導通する部位である。主面第２部３１２は、主面第１部３１１に対してｘ方向に離間して配置されており、半導体発光素子４の他方の電極が導通する部位である。主面第１部３１１および主面第２部３１２の形状や大きさは、図示の例に限定されるものではなく、適宜改変可能である。図示された例においては、主面第１部３１１は、主面第２部３１２よりも大きい。主面第１部３１１は、ｚ方向視において基材２の中心と重なっている。図示された例においては、主面第１部３１１および主面第２部３１２は、基材２の端縁から離間している。
【００２３】
図１および図３〜図７に示すように、主面第１部３１１は、主面部第１面３１１１および主面部第１傾斜面３１１２を有する。主面部第１面３１１１は、ｚ方向において主面２１と同じ側を向く面であり、図示された例においては、ｚ方向に対して直角である平面である。主面部第１傾斜面３１１２は、主面部第１面３１１１に繋がっており、ｚ方向において主面２１に近づくほどｘ方向において主面部第１面３１１１から離間するように傾いている。図示された例においては、主面部第１傾斜面３１１２は、凸曲面である。主面部第１傾斜面３１１２は、主面第１部３１１のうちｘ方向において主面第２部３１２と対向する部位に設けられている。
【００２４】
図１および図３〜図７に示すように、主面第２部３１２は、主面部第２面３１２１および主面部第２傾斜面３１２２を有する。主面部第２面３１２１は、ｚ方向において主面２１と同じ側を向く面であり、図示された例においては、ｚ方向に対して直角である平面である。主面部第２傾斜面３１２２は、主面部第２面３１２１に繋がっており、ｚ方向において主面２１に近づくほどｘ方向において主面部第２面３１２１から離間するように傾いている。図示された例においては、主面部第２傾斜面３１２２は、凸曲面である。主面部第２傾斜面３１２２は、主面第２部３１２のうちｘ方向において主面第１部３１１と対向する部位に設けられている。
【００２５】
図１に示すように、第１延出部３１３は、主面第１部３１１に繋がっており、ｚ方向視において基材２の端縁に到達している。図示された例においては、主面第１部３１１にｙ方向両側から繋がる２つの第１延出部３１３が設けられている。
【００２６】
図１に示すように、第２延出部３１４は、主面第２部３１２に繋がっており、ｚ方向視において基材２の端縁に到達している。図示された例においては、主面第２部３１２にｙ方向両側から繋がる２つの第２延出部３１４が設けられている。
【００２７】
裏面部３２は、基材２の主面２１上に形成されている。図示された例においては、裏面部３２は、裏面第１部３２１および裏面第２部３２２を含む。裏面部３２の厚さは、たとえば、４０μｍ程度である。また、裏面部３２の表層には、たとえば、はんだめっきやＳｎめっきが形成されていてもよい。
【００２８】
裏面第１部３２１は、半導体発光素子４の一方の電極に導通する部位である。裏面第２部３２２は、裏面第１部３２１に対してｘ方向に離間して配置されており、半導体発光素子４の他方の電極が導通する部位である。裏面第１部３２１および裏面第２部３２２の形状や大きさは、図示の例に限定されるものではなく、適宜改変可能である。図示された例においては、裏面第１部３２１は、裏面第２部３２２よりも大きい。裏面第１部３２１は、ｚ方向視において基材２の中心と重なっている。図示された例においては、裏面第１部３２１および裏面第２部３２２は、基材２の端縁から離間している。ｚ方向視において、裏面第１部３２１は、主面第１部３１１と重なっており、裏面第２部３２２は、主面第２部３１２と重なっている。
【００２９】
第１連結部３３は、基材２の導電部用第１貫通孔２５内に形成されており、主面第１部３１１と裏面第１部３２１とを導通させている。図４および図５に示すように、図示された例においては、第１連結部３３は、めっきの手法によって裏面第１部３２１と一体的に形成されている。
【００３０】
第２連結部３４は、基材２の導電部用第２貫通孔２６内に形成されており、主面第２部３１２と裏面第２部３２２とを導通させている。図４に示すように、図示された例においては、第２連結部３４は、めっきの手法によって裏面第２部３２２と一体的に形成されている。
【００３１】
主面部３１の主面第１部３１１および主面第２部３１２と、裏面部３２の裏面第１部３２１および裏面第２部３２２との相対的な大きさ、形状および配置の関係は、図示の例に限定されるものではなく、適宜改変可能である。本実施形態においては、図３に示すように、主面第１部３１１と裏面第１部３２１とが、ｚ方向視においてｘ方向に互いにずれた関係である。主面第２部３１２と裏面第２部３２２とは、ｚ方向視においてｘ方向に互いにずれた関係である。
【００３２】
半導体発光素子４は、半導体発光装置Ａ１の光源素子である。半導体発光素子４としては、たとえば、ＬＥＤチップ、半導体レーザ素子、ＶＣＳＥＬ素子等が挙げられるが、本開示がこれに限定されるわけではない。以降の説明においては、半導体発光素子４がＬＥＤチップである場合を例に説明する。
【００３３】
図１、図３および図６に示すように、半導体発光素子４は、主面第１部３１１に搭載されている。図示された例においては、半導体発光素子４は、ｚ方向視において基材２の中心と重なっている。半導体発光素子４は、ｚ方向視において、たとえば矩形状である。
【００３４】
半導体発光素子４には、第１ワイヤ４８１および第２ワイヤ４８２が接続されている。第１ワイヤ４８１は、半導体発光素子４の一方の電極と主面第１部３１１とに接続されている。第２ワイヤ４８２は、半導体発光素子４の他方の電極と主面第２部３１２とに接続されている。第１ワイヤ４８１および第２ワイヤ４８２の材質は、たとえばＡｕであるが、本開示がこれに限定されるわけではない。半導体発光素子４は、いわゆる２ワイヤタイプのＬＥＤチップである。
【００３５】
樹脂部５は、基板１の一部を覆っている。樹脂部５を構成する樹脂は、たとえば、エポキシ樹脂等の熱硬化性樹脂からなるが、本開示がこれに限定されるわけではない。樹脂部５は、基材２よりも半導体発光素子４からの光によって劣化しにくい樹脂からなることが好ましい。本例においては、樹脂部５は、白色のエポキシ樹脂からなる。樹脂部５のｚ方向寸法は、たとえば、０．４ｍｍ程度である。
【００３６】
樹脂部５は、枠状部５０および主面被覆部５１を有する。
【００３７】
枠状部５０は、図１および図３〜図７に示すように、ｚ方向視において連続した矩形状である。ｚ方向視において、枠状部５０の端縁と基材２の端縁とは、互いに一致している。枠状部５０は、ｚ方向視において半導体発光素子４を囲んでいる。枠状部５０は、リフレクタ５０１を有する。リフレクタ５０１は、半導体発光素子４をｘ方向およびｙ方向において挟む面である。リフレクタ５０１は、ｚ方向において主面２１から離間するほど半導体発光素子４からｘ方向またはｙ方向に離間するように傾いている。図示された例においては、枠状部５０は、主面部３１の主面第１部３１１および主面第２部３１２の各々の一部を覆っている。
【００３８】
主面被覆部５１は、図１、図３、図４および図７に示すように、枠状部５０に繋がっており、主面２１のうち主面部３１から露出する部分を覆っている。本実施形態においては、主面２１のうちｘ方向において主面第１部３１１と主面第２部３１２とに挟まれた領域を、主面被覆部５１が覆っている。また、主面被覆部５１は、主面第１部３１１の主面部第１傾斜面３１１２および主面第２部３１２の主面部第２傾斜面３１２２を覆っている。図１および図７に示すように、主面第１部３１１は、枠状部５０によって囲まれた領域をｙ方向に横断しており、枠状部５０のうちｙ方向に互いに離間する部分同士を連結している。
【００３９】
主面被覆部５１は、主面被覆部第１面５１１を有する。主面被覆部第１面５１１は、主面２１と同じ側を向く面であり、図示された例においては、ｚ方向に対して直角な平面である。主面被覆部第１面５１１は、主面部第１面３１１１および主面部第１傾斜面３１１２と面一である。
【００４０】
透光樹脂部６は、図３〜図７に示すように、樹脂部５の枠状部５０によって囲まれた空間に充填されており、主面部３１の一部、半導体発光素子４、第１ワイヤ４８１および第２ワイヤ４８２を覆っている。透光樹脂部６は、半導体発光素子４からの光を透過させる材質からなり、たとえばエポキシ樹脂やシリコーン樹脂を主成分とする。透光樹脂部６は、蛍光物質を含んでいてもよい。たとえば、半導体発光素子４が青色光を発する場合、青色光によって励起されることにより黄色光を発する蛍光物質を、透光樹脂部６が含んでいてもよい。この場合、半導体発光装置Ａ１からは、白色光が発せられる。
【００４１】
次に、図８〜図１５を参照しつつ、半導体発光装置Ａ１の製造方法の一例について説明する。
【００４２】
図８に示すように、基板１Ａを用意する。基板１Ａは、複数の基板１を製造可能な部材である。以降の説明においては、複数の半導体発光装置Ａ１を一括して製造する場合を例に説明するが、半導体発光装置Ａ１の製造方法はこれに限定されない。
【００４３】
基板１Ａは、基材２Ａおよび導電部３Ａを有する。基材２Ａは、上述した基材２となるものであり、主面２１および裏面２２を有する。導電部３Ａは、上述した導電部３となるものであり、複数の主面部３１および裏面部３２を有する。
【００４４】
図９〜図１１に示すように、金型８を基板１Ａに押し付ける。基板１Ａは、図示しない支持部材によって下方から（金型８とは反対の側で）支持される。金型８は、主部８１および凸部８２を有する。主部８１は、基板１Ａからｚ方向に離間した部位である。凸部８２は、主部８１からｚ方向に突出した部位である。凸部８２は、当接面８２１を有する。当接面８２１は、凸部８２のｚ方向における先端に設けられている。当接面８２１は、ｚ方向に対して直角な平面である。当接面８２１は、主面第１部３１１の主面部第１面３１１１および主面第２部３１２の主面部第２面３１２１に当接する。主面２１のうちｘ方向において主面第１部３１１と主面第２部３１２との間に位置する部位と当接面８２１との間には、隙間が生じている。
【００４５】
基板１Ａと金型８との間の空間に、たとえば液状の熱硬化性樹脂材料を充填する。そして、この樹脂材料を硬化することにより、図１２および図１３に示す樹脂部５Ａが形成される。主部８１と基板１Ａとの間に充填された樹脂材料は、枠状部５０を含む部位を形成する。当接面８２１、主面２１、主面第１部３１１および主面第２部３１２によって規定された隙間に充填された樹脂材料は、主面被覆部５１を形成する。
【００４６】
樹脂材料の硬化後、図１４に示すように、金型８を取り除く。次いで、図１５に示すように、半導体発光素子４、第１ワイヤ４８１および第２ワイヤ４８２をそれぞれボンディングする。この後は、たとえばポッティングの手法によって透光性の樹脂材料を枠状部５０によって囲まれた空間に充填し、これを硬化させることにより、上述した透光樹脂部６を形成する。その後、基板１Ａおよび樹脂部５Ａを適宜切断することにより、上述した半導体発光装置Ａ１が得られる。
【００４７】
次に、半導体発光装置Ａ１および半導体発光装置Ａ１の製造方法の作用について説明する。
【００４８】
本実施形態によれば、図１、図３、図４および図７に示すように、基材２の主面２１のうち主面部３１から露出した部分が、主面被覆部５１によって覆われる。これにより、基材２が半導体発光素子４からの光に晒されることを抑制することができる。基材２が半導体発光素子４からの光に晒されることが抑制可能であれば、たとえば基材２が劣化することを抑制することが可能である。これにより、基材２の材質として、光により劣化し得る材質を選択することが可能であり、たとえばコスト低減を図ることができる。
【００４９】
樹脂部５の材質として、基材２の材質よりも半導体発光素子４からの光によって劣化しにくい材質を用いることにより、半導体発光素子４の光による劣化を抑制することができる。
【００５０】
主面被覆部５１は、枠状部５０によって囲まれた領域をｙ方向に横断しており、両端が枠状部５０に繋がっている。これにより、主面被覆部５１が主面２１から離間することを抑制することができる。
【００５１】
主面被覆部第１面５１１と主面部第１面３１１１および主面部第２面３１２１とが互いに面一であることにより、これらによってより大きな平面を構成することが可能である。これにより、半導体発光素子４からの光をより効率よくｚ方向へと反射することが可能であり、半導体発光装置Ａ１の高輝度化に好ましい。
【００５２】
主面第１部３１１の主面部第１傾斜面３１１２および主面第２部３１２の主面部第２傾斜面３１２２が主面被覆部５１に覆われていることにより、主面被覆部５１には、主面部第１傾斜面３１１２および主面部第２傾斜面３１２２に対応した曲面が形成される。この曲面により、主面被覆部５１に応力が集中することを緩和することができる。
【００５３】
図９〜図１１に示すように、凸部８２の当接面８２１を主面部第１面３１１１および主面部第２面３１２１に当接することにより、主面２１と当接面８２１との間に隙間を生じさせることができる。この隙間は、主部８１と基板１との間の隙間と通じている。このため、主部８１と基板１との隙間に樹脂材料を充填すると、この樹脂材料が主面２１と当接面８２１との隙間にも充填される。これにより、樹脂部５の枠状部５０と主面被覆部５１とを一括して形成することが可能である。また、主面被覆部５１を枠状部５０とは別工程で形成すると、枠状部５０と主面被覆部５１とを完全に一体成形することは困難である。この場合、主面被覆部５１の剥離等が懸念されるが、本実施形態によれば、主面被覆部５１の剥離を抑制することができる。
【００５４】
図１６〜図３４は、本開示の第１の側面の変形例および他の実施形態を示している。なお、これらの図において、第１の側面の上記第１実施形態と同一または類似の要素には、上記実施形態と同一の符号を付している。
【００５５】
図１６および図１７は、半導体発光装置Ａ１の第１変形例を示している。図１６は、本変形例の半導体発光装置Ａ１１を示す平面図である。図１７は、図１６のＸＶＩＩ−ＸＶＩＩ線に沿う断面図である。
【００５６】
半導体発光装置Ａ１１は、主面被覆部５１の構成が上述した半導体発光装置Ａ１と異なっている。本変形例の主面被覆部５１は、ｙ方向において途切れた形状である。より具体的には、主面被覆部５１は、ｙ方向における中央付近において途切れており、２つの部位に分断されている。ただし、主面被覆部５１の各々の部位は、それぞれ枠状部５０に繋がっている。このような主面被覆部５１は、たとえば図１２および図１３に示す樹脂材料の充填の条件によって生じる。
【００５７】
本変形例によっても、基材２が半導体発光素子４からの光に晒されることを抑制することができる。本変形例から理解されるように、本開示の主面被覆部５１は、主面２１のうち主面部３１から露出した部分の全体を覆うものに限定されず、主面２１のうち主面部３１から露出した部分の一部を覆うものであってもよい。
【００５８】
図１８〜図２３は、本開示の第１の側面の第２実施形態に係る半導体発光装置Ａ２を示している。図１８は、半導体発光装置Ａ２を示す平面図である。図１９は、半導体発光装置Ａ２を示す底面図である。図２０は、図１８のＸＸ−ＸＸ線に沿う断面図である。図２１は、図１８のＸＸＩ−ＸＸＩ線に沿う断面図である。図２２は、図１８のＸＸＩＩ−ＸＸＩＩ線に沿う断面図である。図２３は、半導体発光装置Ａ２の製造方法の一工程を示す断面図である。
【００５９】
第１の側面の第２実施形態においては、基材２は、樹脂部用貫通孔２８を有する。樹脂部用貫通孔２８は、基材２を貫通しており、図示された例においては、ｚ方向視において主面被覆部５１と重なる。
【００６０】
樹脂部５は、主面被覆部５１、裏面被覆部５２および連結部５３を含む。裏面被覆部５２は、基材２の裏面２２のうち裏面部３２から露出した部分を覆っている。裏面被覆部５２は、裏面被覆部第１面５２１を有する。裏面被覆部第１面５２１は、裏面２２と同じ側を向く面であり、図示された例においては、ｚ方向に対して直角な平面である。裏面被覆部第１面５２１は、裏面部第１面３２１１および裏面部第２面３２２１と面一である。主面被覆部５１は、裏面第１部３２１の裏面部第１傾斜面３２１２および裏面第２部３２２の裏面部第２傾斜面３２２２を覆っている。
【００６１】
連結部５３は、基材２の樹脂部用貫通孔２８内に形成されており、基材２を貫通している。連結部５３は、裏面被覆部５２と繋がっている。図示された例においては、５３は、主面被覆部５１と繋がっている。図示された例とは異なり、連結部５３は、枠状部５０と繋がっていてもよい。
【００６２】
図２３に示すように、半導体発光装置Ａ２の製造においては、基材２Ａの裏面２２側に金型８の副部８３を押し当てる。副部８３は、当接面８３１を有する。当接面８３１は、ｚ方向に対して直角である平面である。当接面８３１は、裏面第１部３２１の裏面部第１面３２１１および裏面第２部３２２の裏面部第２面３２２１に当接する。当接面８３１と裏面２２のうち裏面部３２から露出した部分との間には、隙間が生じる。主部８１および凸部８２と基板１との間に充填された樹脂材料は、樹脂部用貫通孔２８を経由して副部８３と裏面２２との隙間に充填される。これらの樹脂材料を硬化することにより、半導体発光装置Ａ２の樹脂部５が得られる。
【００６３】
第１の側面の第２実施形態によっても、基材２が半導体発光素子４からの光に晒されることを抑制することができる。また、第１の側面の第２実施形態によれば、主面被覆部５１は、連結部５３を介して裏面被覆部５２と連結されている。これにより、主面被覆部５１および枠状部５０と裏面被覆部５２とが、互いの基材２からの剥離を抑制することができる。
【００６４】
図２４は、第１の側面に基づく第３実施形態に係る半導体発光装置Ａ３を示す平面図である。半導体発光装置Ａ３は、半導体発光素子４の構成が上述した実施形態と異なっている。第１の側面の第３実施形態の半導体発光素子４は、第２ワイヤ４８２が接続されており、第１ワイヤ４８１は接続されていない。半導体発光素子４は、主面第１部３１１と対向する電極（図示略）を有しており、この電極が主面部第１面３１１１に導通接合されている。半導体発光素子４は、いわゆる１ワイヤタイプのＬＥＤチップである。この場合、半導体発光素子４のｚ方向両側に電極が形成されている。一方の電極には、第２ワイヤ４８２がボンディングされており、主面第２部３１２に導通している。他方の電極は、主面部３１の主面部第１面３１１１に導通接合されている。この導通接合は、導電性接合材を介してなされ、たとえばＡｇペーストが用いられる。
【００６５】
第１の側面の第３実施形態によっても、基材２が半導体発光素子４からの光に晒されることを抑制することができる。
【００６６】
図２５および図２６は、第１の側面の第４実施形態に係る半導体発光装置Ａ４を示している。図２５は、半導体発光装置Ａ４を示す平面図である。図２６は、図２５のＸＸＶＩ−ＸＸＶＩ線に沿う断面図である。
【００６７】
第１の側面の第４実施形態の半導体発光素子４は、いわゆるフリップチップタイプのＬＥＤチップである。半導体発光素子４の一方の電極は、主面第１部３１１に第１導電性接合材４９１によって導通接合されている。半導体発光素子４の他方の電極は、主面第２部３１２に第２導電性接合材４９２によって導通接合されている。第１導電性接合材４９１および第２導電性接合材４９２は、たとえば、はんだやＡｇペーストである。
【００６８】
第１の側面の第４実施形態によっても、基材２が半導体発光素子４からの光に晒されることを抑制することができる。また、半導体発光装置Ａ３および半導体発光装置Ａ４から理解されるように、本開示の半導体発光素子４の具体的構成は何ら限定されず、他の構成要素の様々な態様と適宜組み合わせて採用することができる。
【００６９】
図２７〜図２９は、第１の側面の第５実施形態に係る半導体発光装置Ａ５を示している。図２７は、半導体発光装置Ａ５を示す平面図である。図２８は、半導体発光装置Ａ５を示す底面図である。図２９は、図２７のＸＸＩＸ−ＸＸＩＸ線に沿う断面図である。第１の側面の第５実施形態においては、主面第１部３１１と裏面第１部３２１とが、ｚ方向視において互いに一致する大きさ、形状および配置である。また、主面第２部３１２と裏面第２部３２２とが、ｚ方向視において互いに一致する大きさ、形状および配置である。
【００７０】
第１の側面の第５実施形態によっても、基材２が半導体発光素子４からの光に晒されることを抑制することができる。また、上述した本実施形態から理解されるように、主面部３１と裏面部３２とのｚ方向視における互いの大きさ、形状および配置は、図示の例に限定されるものではなく、適宜改変可能である。また、半導体発光装置Ａ５の主面部３１および裏面部３２の構成を上述した実施形態のいずれかに適宜採用してもよい。
【００７１】
図３０〜図３２は、第１の側面の第６実施形態に係る半導体発光装置Ａ６を示している。図３０は、半導体発光装置Ａ６を示す平面図である。図３１は、半導体発光装置Ａ６を示す底面図である。図３２は、図３０のＸＸＸＩＩ−ＸＸＸＩＩ線に沿う断面図である。
【００７２】
第１の側面の第６実施形態の基材２は、第１溝部２３および第２溝部２４を有する。第１溝部２３は、基材２のｘ方向一方端に設けられており、ｘ方向内方に凹む溝である。第１溝部２３は、ｚ方向において主面２１および裏面２２に到達している。第１溝部２３の具体的形状は特に限定されず、図示された例においては、略半円形状である。第２溝部２４は、基材２のｘ方向他方端に設けられており、ｘ方向内方に凹む溝である。第２溝部２４は、ｚ方向において主面２１および裏面２２に到達している。第２溝部２４の具体的形状は特に限定されず、図示された例においては、略半円形状である。
【００７３】
第１の側面の第６実施形態の導電部３は、主面部３１、裏面部３２、第１連結部３３、第２連結部３４、第３連結部３５および第４連結部３６を有する。
【００７４】
第１の側面の第６実施形態の主面部３１は、主面第１部３１１、主面第２部３１２、主面第３部３１５および主面第４部３１６を有する。主面部３１は、上述した実施形態の第１延出部３１３および第２延出部３１４を有していない。すなわち、主面第１部３１１および主面第２部３１２は、それぞれ基材２のｚ方向視における端縁から離間している。
【００７５】
主面第３部３１５は、基材２の主面２１のｘ方向一方端に沿って設けられている。主面第３部３１５は、主面第１部３１１からｘ方向に離間している。主面第３部３１５は、第１溝部２３をｚ方向における主面２１側から塞いでいる。主面第３部３１５の形状は、特に限定されず、図示された例においては、略半円形状である。また、図示された例においては、主面第３部３１５は、そのすべてが樹脂部５によって覆われているが、一部のみが樹脂部５によって覆われていてもよいし、そのすべてが樹脂部５から露出していてもよい。
【００７６】
主面第４部３１６は、基材２の主面２１のｘ方向他方端に沿って設けられている。主面第４部３１６は、主面第２部３１２からｘ方向に離間している。主面第４部３１６は、第２溝部２４をｚ方向における主面２１側から塞いでいる。主面第４部３１６の形状は、特に限定されず、図示された例においては、略半円形状である。また、図示された例においては、主面第４部３１６は、そのすべてが樹脂部５によって覆われているが、一部のみが樹脂部５によって覆われていてもよいし、そのすべてが樹脂部５から露出していてもよい。
【００７７】
第１の側面の第６実施形態の裏面部３２は、裏面第１部３２１、裏面第２部３２２、第１延出部３２３および第２延出部３２４を有する。
【００７８】
第１の側面の第６実施形態の裏面第１部３２１は、基材２の裏面２２のｘ方向一方端に到達している。裏面部３２１は、凹部３２１５を有する。凹部３２１５は、ｚ方向視において基材２の第１溝部２３に沿った形状の部位である。
【００７９】
第１の側面の第６実施形態の裏面第２部３２２は、基材２の裏面２２のｘ方向他方端に到達している。裏面第２部３２２は、凹部３２２５を有する。凹部３２２５は、ｚ方向視において基材２の第２溝部２４に沿った形状の部位である。
【００８０】
第１延出部３２３は、裏面第１部３２１に繋がっており、ｚ方向視において基材２の端縁に到達している。図示された例においては、裏面第１部３２１にｙ方向両側から繋がる２つの第１延出部３２３が設けられている。
【００８１】
第２延出部３２４は、裏面第２部３２２に繋がっており、ｚ方向視において基材２の端縁に到達している。図示された例においては、裏面第２部３２２にｙ方向両側から繋がる２つの第２延出部３２４が設けられている。
【００８２】
第３連結部３５は、基材２の第１溝部２３内に形成されており、主面第３部３１５と裏面第１部３２１とを導通させている。図示された例においては、第３連結部３５は、めっきの手法によって裏面第１部３２１と一体的に形成されている。図示された例においては、第３連結部３５は、第１溝部２３の内面を覆う膜状であるが、これに限定されず、たとえば、第１溝部２３のすべてに充填された形態であってもよい。
【００８３】
導電部用第２貫通孔２６は、基材２の第２溝部２４内に形成されており、主面第４部３１６と裏面第２部３２２とを導通させている。図示された例においては、第４連結部３６は、めっきの手法によって裏面第２部３２２と一体的に形成されている。図示された例においては、第４連結部３６は、第２溝部２４の内面を覆う膜状であるが、これに限定されず、たとえば、第２溝部２４のすべてに充填された形態であってもよい。
【００８４】
第１の側面の第６実施形態によっても、基材２が半導体発光素子４からの光に晒されることを抑制することができる。また、第３連結部３５および第４連結部３６が設けられていることにより、半導体発光装置Ａ６を回路基板等にはんだによって実装した際に、いわゆるはんだフィレットを形成しやすいという利点がある。
【００８５】
主面第３部３１５および第３連結部３５は、裏面第１部３２１および第１連結部３３を介して主面第１部３１１と導通している。このため、主面第１部３１１と主面第３部３１５とを連結する必要がない。さらに、主面第１部３１１は、ｚ方向視において、基材２の外端縁から離間している。これにより、半導体発光素子４を主面第１部３１１に接合するための接合材が主面第１部３１１上を広がりやすいものであったとしても、この接合材が主面第３部３１５等に不当に広がってしまうことを抑制することができる。
【００８６】
裏面部３２が第１延出部３２３および第２延出部３２４を有することにより、たとえば、半導体発光装置Ａ６の製造工程において、導電部３をメッキの手法によって形成する場合に、第１延出部３２３および第２延出部３２４を用いて、電解メッキに必要な外部との導通を確保することができる。
【００８７】
図３３および図３４は、第１の側面の第７実施形態に係る半導体発光装置Ａ７を示している。図３３は、半導体発光装置Ａ７を示す平面図である。図３４は、図３３のＸＸＸＩＶ−ＸＸＸＩＶ線に沿う断面図である。
【００８８】
第１の側面の第７実施形態においては、上述した半導体発光装置Ａ６における第１溝部２３、第２溝部２４が基材２に形成されており、導電部３の主面部３１が主面第３部３１５および主面第４部３１６を有し、導電部３が第３連結部３５および第４連結部３６を有している。
【００８９】
第１の側面の第７実施形態の導電部３は、上述した実施形態の第１連結部３３および第２連結部３４を有していない。また、第１の側面の第７実施形態においては、主面第１部３１１と主面第３部３１５とが互いに繋がった構成であり、主面第２部３１２と主面第４部３１６とが互いに繋がった構成である。
【００９０】
第１の側面の第７実施形態によっても、基材２が半導体発光素子４からの光に晒されることを抑制することができる。また、第１の側面の第７実施形態においては、主面第１部３１１は、主面第３部３１５および第３連結部３５を介して裏面第１部３２１と導通している。主面第２部３１２は、主面第４部３１６および第４連結部３６を介して裏面第２部３２２と繋がっている。したがって、半導体発光装置Ａ７を回路基板等に実装する際には、裏面第１部３２１および裏面第２部３２２をいわゆる実装電極として利用しつつ、第３連結部３５および第４連結部３６にはんだフィレットを形成することができる。
【００９１】
本開示の第１の側面に基づく半導体発光装置および半導体発光装置の製造方法は、上述した実施形態に限定されるものではない。本開示の第１の側面に係る半導体発光装置および半導体発光装置の製造方法の構成は、種々に設計変更自在である。本開示の第１の側面に係る半導体発光装置および半導体発光装置の製造方法は、たとえば、以下の付記Ａ１〜Ａ１９のように規定することができる。
【００９２】
付記１Ａ．基材および導電部を有する基板と、
前記基板に支持された半導体発光素子と、
前記基板の少なくとも一部を覆う樹脂部と、を備える半導体発光装置であって、
前記基材は、厚さ方向において互いに反対側を向く主面および裏面を有し、
前記導電部は、前記主面に形成された主面部を含み、
前記半導体発光素子は、前記主面部に搭載されており、
前記樹脂部は、前記厚さ方向視において前記半導体発光素子を囲む枠状部と、前記枠状部に繋がり且つ前記基材の前記主面のうち前記主面部から露出する部分を覆う主面被覆部と、を含む、半導体発光装置。
付記２Ａ．前記主面部は、前記厚さ方向と直角である第１方向において互いに離間する主面第１部および主面第２部を含み、
前記主面被覆部は、前記主面第１部と前記主面第２部との間に位置する、付記１Ａに記載の半導体発光装置。
付記３Ａ．前記主面第１部は、前記主面と同じ側を向く主面部第１面を有し、
前記主面第２部は、前記主面と同じ側を向く主面部第２面を有し、
前記主面被覆部は、前記主面部第１面および前記主面部第２面と面一である主面被覆部第１面を有する、付記２Ａに記載の半導体発光装置。
付記４Ａ．前記主面第１部は、前記主面部第１面に繋がり且つ前記厚さ方向において前記主面に近づくほど前記第１方向において前記主面部第１面から離間するように傾斜した主面部第１傾斜面を有し、
前記主面部第１傾斜面は、前記主面被覆部によって覆われている、付記３Ａに記載の半導体発光装置。
付記５Ａ．前記主面第２部は、前記主面部第２面に繋がり且つ前記厚さ方向において前記主面に近づくほど前記第１方向において前記主面部第２面から離間するように傾斜した主面部第２傾斜面を有し、
前記主面部第２傾斜面は、前記主面被覆部によって覆われている、付記４Ａに記載の半導体発光装置。
付記６Ａ．前記主面被覆部は、前記厚さ方向視において前記枠状部に囲まれた領域を前記第１方向と直角である第２方向に横断している、付記２Ａまたは３Ａに記載の半導体発光装置。
付記７Ａ．前記導電部は、前記裏面に形成された裏面部を含む、付記２Ａないし６Ａのいずれかに記載の半導体発光装置。
付記８Ａ．前記裏面部は、前記主面第１部に導通する裏面第１部および前記主面第２部に導通する裏面第２部を含む、付記７Ａに記載の半導体発光装置。
付記９Ａ．
前記樹脂部は、前記裏面のうち前記裏面部から露出する部分を覆う裏面被覆部を含む、付記８Ａに記載の半導体発光装置。
付記１０Ａ．前記基材は、前記厚さ方向に貫通する樹脂部用貫通孔を有し、
前記樹脂部は、前記樹脂部用貫通孔に形成され且つ前記主面被覆部および前記裏面被覆部を繋ぐ連結部を含む、付記９Ａに記載の半導体発光装置。
付記１１Ａ．前記裏面第１部は、前記裏面と同じ側を向く裏面部第１面を有し、
前記裏面第２部は、前記裏面と同じ側を向く裏面部第２面を有し、
前記裏面被覆部は、前記裏面部第１面および前記裏面部第２面と面一である裏面被覆部第１面を有する、付記９Ａまたは１０Ａに記載の半導体発光装置。
付記１２Ａ．前記裏面第１部は、前記裏面部第１面に繋がり且つ前記厚さ方向において前記裏面に近づくほど前記第１方向において前記裏面部第１面から離間するように傾斜した裏面部第１傾斜面を有し、
前記裏面部第１傾斜面は、前記裏面被覆部によって覆われている、付記１１Ａに記載の半導体発光装置。
付記１３Ａ．前記裏面第２部は、前記裏面部第２面に繋がり且つ前記厚さ方向において前記裏面に近づくほど前記第１方向において前記裏面部第２面から離間するように傾斜した裏面部第２傾斜面を有し、
前記裏面部第２傾斜面は、前記裏面被覆部によって覆われている、付記１２Ａに記載の半導体発光装置。
付記１４Ａ．前記半導体発光素子は、前記主面第１部に搭載されている、付記２Ａないし１３Ａのいずれかに記載の半導体発光装置。
付記１５Ａ．前記半導体発光素子と前記主面第２部とに接続されたワイヤをさらに備える、付記１４Ａに記載の半導体発光装置。
付記１６Ａ．前記半導体発光素子と前記主面第１部とに接続されたワイヤをさらに備える、付記１５Ａに記載の半導体発光装置。
付記１７Ａ．前記半導体発光素子は、前記主面第１部および前記主面第２部に導通接合されている、付記２Ａないし１３Ａのいずれかに記載の半導体発光装置。
付記１８Ａ．前記枠状部に囲まれた空間に充填され且つ前記半導体発光素子を覆うとともに前記半導体発光素子からの光を透過させる透光樹脂部をさらに備える、付記１Ａないし１６Ａのいずれかに記載の半導体発光装置。
付記１９Ａ．基材および前記基材の主面に形成された導電性の主面部を含む基板であって、前記主面部が主面第１部および主面第２部を含んでいる基板を用意する工程と、
金型の凸部の先端面を前記主面第１部および前記主面第２部に当接させ且つ前記凸部の前記先端面と前記主面との間に隙間を生じた状態で、前記基板および前記金型によって規定される空間に樹脂材料を充填する工程と、
前記樹脂材料を硬化させることにより、枠状部および主面被覆部を含む樹脂部を形成する工程と、
前記枠状部に囲まれた領域に半導体発光素子を搭載する工程と、
を備えており、
前記主面被覆部が、前記基材の前記主面のうち前記主面部から露出する部分を覆い且つ前記枠状部に繋がる構成とされている、半導体発光装置の製造方法。
【００９３】
次に、本開示の第２の側面に係る半導体発光素子、および同半導体発光装置の製造方法について説明する。図３５〜図４０は、本開示の第２の側面の１実施形態に係る半導体発光装置を示している。図示された半導体発光装置Ｂ１は、基板１’、半導体発光素子４’、樹脂部５’および透光樹脂部６’を備えている。図３５においては、透光樹脂部６’を省略している。図４１〜４５は、半導体発光装置Ｂ１の製造方法を説明する図である。
【００９４】
図３５は、半導体発光装置Ｂ１を示す平面図である。図３６は、半導体発光装置Ｂ１を示す底面図である。図３７は、図３５のＸＸＸＶＩＩ−ＸＸＸＶＩＩ線に沿う断面図である。図３８は、図３５のＸＸＸＶＩＩＩ−ＸＸＸＶＩＩＩ線に沿う断面図である。図３９は、図３５のＸＸＸＩＸ−ＸＸＸＩＸ線に沿う断面図である。図４０は、図３５のＸＬ−ＸＬ線に沿う断面図である。図４１は、半導体発光装置Ｂ１の製造方法の一工程を示す断面図である。図４２は、図４１のＸＬＩＩ−ＸＬＩＩ線に沿う断面図である。図４３は、図４１のＸＬＩＩＩ−ＸＬＩＩＩ線に沿う断面図である。図４４は、半導体発光装置Ｂ１の製造方法の一工程を示す断面図である。図４５は、図４４のＸＬＶ−ＸＬＶ線に沿う断面図である。
【００９５】
半導体発光装置Ｂ１の大きさの一例を挙げると、ｘ方向寸法が１．６ｍｍ程度、ｙ方向寸法が０．８ｍｍ程度、ｚ方向寸法が０．６ｍｍ程度である。半導体発光装置Ｂ１の大きさや形状は、この例に限定されず適宜改変可能である。
【００９６】
基板１’は、半導体発光装置Ｂ１の土台となる。基板１’は、基材２’および導電部３’を含む。
【００９７】
基材２’は、絶縁性材料からなる。基材２’を構成する絶縁性材料は何ら限定されず、たとえばガラスエポキシ樹脂が挙げられる。基材２’は、主面２１’、裏面２２’、第１側面２３’および第２側面２４’を有する。図３７〜図４０に示すように、主面２１’および裏面２２’は、ｚ方向において互いに反対側を向いている。図示された例においては、主面２１’および裏面２２’は、ｚ方向に対して直角な平面である。第１側面２３’は、ｘ方向一方側において主面２１’および裏面２２’を繋いでおり、図示された例においては、ｘ方向に対して直角である。第２側面２４’は、ｘ方向他方側において主面２１’および裏面２２’を繋いでおり、図示された例においては、ｘ方向に対して直角である。基材２’の形状は、特に限定されず、図３５および図３６に示すように、たとえばｚ方向視において矩形状である。基材２’の厚さは、たとえば０．２ｍｍ程度である。
【００９８】
本実施形態においては、基材２’には、第１溝部２５’、第２溝部２６’、第１貫通孔２７’、第２貫通孔２８’が形成されている。第１溝部２５’は、第１側面２３’から凹んでおり、主面２１’および裏面２２’に到達するように延びている。第１溝部２５’の形状は特に限定されず、図示された例においては、断面半円形状である。第２溝部２６’は、第２側面２４’から凹んでおり、主面２１’および裏面２２’に到達するように延びている。第２溝部２６’の形状は特に限定されず、図示された例においては、断面半円形状である。
【００９９】
第１貫通孔２７’は、基材２’をｚ方向に貫通している。図３５および図３６に示すように、図示された例においては、１つの第１貫通孔２７’が設けられている。第２貫通孔２８’は、基材２’をｚ方向に貫通している。図３５および図３６に示すように、図示された例においては、１つの第２貫通孔２８’が設けられている。また、第２貫通孔２８’は、第１貫通孔２７’に対してｘ方向に離間している。第１貫通孔２７’および第２貫通孔２８’の個数や大きさ、配置等は、図示の例に限定されず適宜改変可能である。
【０１００】
導電部３’は、基材２’に形成されており、半導体発光素子４’への導通経路や、半導体発光素子４’を搭載するための部位を提供している。導電部３’は、導電性材料からなり、Ｃｕ、Ｎｉ、Ｐｄ，Ｔｉ，Ａｕ等の金属からなる。導電部３’は、一例として、基材２’上に形成されたＴｉおよびＣｕからなる下地めっき層に、電解めっきによってＣｕめっき層を形成することで構成可能である。
【０１０１】
本実施形態においては、図３５〜図４０に示すように、導電部３’は、主面部３１’、裏面部３２’および連結部３３’を含む。
【０１０２】
主面部３１’は、基材２’の主面２１’上に形成されている。主面部３１’は、主面第１部３１１’、主面第２部３１２’、主面第３部３１５’および主面第４部３１６’を有する。主面部３１’の厚さは、たとえば４０μｍ程度であるが、本開示がこれに限定されるわけではない。
【０１０３】
主面第１部３１１’は、半導体発光素子４’の一方の電極に導通する部位である。主面第２部３１２’は、主面第１部３１１’に対してｘ方向に離間して配置されており、半導体発光素子４’の他方の電極が導通する部位である。主面第１部３１１’および主面第２部３１２’の形状や大きさは、特に限定されない。図示された例においては、主面第１部３１１’および主面第２部３１２’は、矩形状である。主面第１部３１１’は、主面第２部３１２’よりも大きい。主面第１部３１１’は、ｚ方向視において基材２’の中心と重なっている。図示された例においては、主面第１部３１１’および主面第２部３１２’は、基材２’の端縁から離間している。
【０１０４】
図３５および図３７〜図４０に示すように、主面第１部３１１’は、主面部第１面３１１１’および主面部第１傾斜面３１１２’を有する。主面部第１面３１１１’は、ｚ方向において主面２１’と同じ側を向く面であり、図示された例においては、ｚ方向に対して直角である平面である。主面部第１傾斜面３１１２’は、主面部第１面３１１１’に繋がっており、ｚ方向において主面２１’に近づくほどｘ方向において主面部第１面３１１１’から離間するように傾いている。図示された例においては、主面部第１傾斜面３１１２’は、凸曲面である。また、主面部第１傾斜面３１１２’は、主面第１部３１１’のうちｘ方向において主面第２部３１２’と対向する部位に設けられている。
【０１０５】
図３５および図３７〜図４０に示すように、主面第２部３１２’は、主面部第２面３１２１’および主面部第２傾斜面３１２２’を有する。主面部第２面３１２１’は、ｚ方向において主面２１’と同じ側を向く面であり、図示された例においては、ｚ方向に対して直角である平面である。主面部第２傾斜面３１２２’は、主面部第２面３１２１’に繋がっており、ｚ方向において主面２１’に近づくほどｘ方向において主面部第２面３１２１’から離間するように傾いている。図示された例においては、主面部第２傾斜面３１２２’は、凸曲面である。また、主面部第２傾斜面３１２２’は、主面第２部３１２’のうちｘ方向において主面第１部３１１’と対向する部位に設けられている。
【０１０６】
主面第３部３１５’は、基材２’の主面２１’の第１側面２３’と接する端縁に沿って設けられている。主面第３部３１５’は、主面第１部３１１’からｘ方向に離間している。主面第３部３１５’は、第１溝部２５’をｚ方向における主面２１’側から塞いでいる。主面第３部３１５’の形状は、特に限定されず、図示された例においては、略半円形状である。また、図示された例においては、主面第３部３１５’は、そのすべてが樹脂部５’によって覆われているが、一部のみが樹脂部５’によって覆われていてもよいし、そのすべてが樹脂部５’から露出していてもよい。
【０１０７】
主面第４部３１６’は、基材２’の主面２１’の第２側面２４’と接する端縁に沿って設けられている。主面第４部３１６’は、主面第２部３１２’からｘ方向に離間している。主面第４部３１６’は、第２溝部２６’をｚ方向における主面２１’側から塞いでいる。主面第４部３１６’の形状は、特に限定されず、図示された例においては、略半円形状である。図示された例においては、主面第４部３１６’は、そのすべてが樹脂部５’によって覆われているが、一部のみが樹脂部５’によって覆われていてもよいし、そのすべてが樹脂部５’から露出していてもよい。
【０１０８】
裏面部３２’は、基材２’の主面２１’上に形成されている。図示された例においては、裏面部３２’は、裏面第１部３２１’、裏面第２部３２２’、第１延出部３２３’および第２延出部３２４’を有する。裏面部３２’の厚さは特に限定されず、たとえば４０μｍ程度である。裏面部３２’の表層には、たとえば、はんだめっきやＳｎめっきが形成されていてもよい。
【０１０９】
裏面第１部３２１’は、半導体発光素子４’の一方の電極に導通する部位である。裏面第２部３２２’は、裏面第１部３２１’に対してｘ方向に離間して配置されており、半導体発光素子４’の他方の電極が導通する部位である。裏面第１部３２１’および裏面第２部３２２’の形状や大きさは、特に限定されない。図示された例においては、裏面第１部３２１’は、裏面第２部３２２’よりも大きい。また、裏面第１部３２１’は、ｚ方向視において基材２’の中心と重なっている。
【０１１０】
図示された例においては、裏面第１部３２１’は、裏面２２’の第１側面２３’側の端縁に到達している。ｚ方向視において、裏面第１部３２１’は、主面第１部３１１’と重なっている。裏面第１部３２１’は、凹部３２１５’を有する。凹部３２１５’は、ｚ方向視において基材２’の第１溝部２５’に沿った形状である。
【０１１１】
裏面第２部３２２’は、裏面２２’の第２側面２４’側の端縁に到達している。裏面第２部３２２’は、凹部３２２５’を有する。凹部３２２５’は、ｚ方向視において基材２’の第２溝部２６’に沿った形状である。裏面第２部３２２’は、主面第２部３１２’と重なっている。
【０１１２】
第１延出部３２３’は、裏面第１部３２１’に繋がっており、ｚ方向視において基材２’のｙ方向の端縁に到達している。図示された例においては、裏面第１部３２１’にｙ方向両側から繋がる２つの第１延出部３２３’が設けられている。
【０１１３】
第２延出部３２４’は、裏面第２部３２２’に繋がっており、ｚ方向視において基材２’の端縁に到達している。図示された例においては、裏面第２部３２２’にｙ方向両側から繋がる２つの第２延出部３２４’が設けられている。
【０１１４】
連結部３３’は、主面部３１’および裏面部３２’を連結する部位を含む。本実施形態の連結部３３’は、第１貫通部連結部３３１’、第２貫通部連結部３３２’、第１溝部連結部３３３’および第２溝部連結部３３４’を含む。
【０１１５】
第１貫通部連結部３３１’は、基材２’の第１貫通孔２７’内に形成されており、主面第１部３１１’と裏面第１部３２１’とを導通させている。図３７および図３８に示すように、図示された例においては、第１貫通部連結部３３１’は、めっきの手法によって裏面第１部３２１’と一体的に形成されている。第１貫通部連結部３３１’は、第１貫通孔２７’内に充填されており、第１貫通孔２７’を埋めている。
【０１１６】
第２貫通部連結部３３２’は、基材２’の第２貫通孔２８’内に形成されており、主面第２部３１２’と裏面第２部３２２’とを導通させている。図３７に示すように、図示された例においては、第２貫通部連結部３３２’は、めっきの手法によって裏面第２部３２２’と一体的に形成されている。第２貫通部連結部３３２’は、第２貫通孔２８’内に充填されており、第２貫通孔２８’を埋めている。
【０１１７】
半導体発光素子４’は、半導体発光装置Ｂ１の光源素子である。半導体発光素子４’としては、たとえば、ＬＥＤチップ、半導体レーザ素子、ＶＣＳＥＬ素子等が挙げられるが、本開示がこれらの例に限定されるわけではない。以降の説明においては、半導体発光素子４’がＬＥＤチップである場合を例に説明する。
【０１１８】
図３５、図３７、および図３９に示すように、半導体発光素子４’は、主面第１部３１１’に搭載されている。図示された例においては、半導体発光素子４’は、ｚ方向視において基材２’の中心と重なっている。半導体発光素子４’は、ｚ方向視において、たとえば矩形状である。本実施形態の半導体発光素子４’は、いわゆる１ワイヤタイプのＬＥＤチップである。
【０１１９】
半導体発光素子４’は、下面に形成された電極が、導電性接合材４９１’によって主面第１部３１１’の主面部第１面３１１１’に接合されている。導電性接合材４９１’は、たとえば、はんだやＡｇペーストであるが、その他、導電性を有し、半導体発光素子４’を主面部第１面３１１１’に接合可能な材料であればよい。
【０１２０】
半導体発光素子４’には、第１ワイヤ４８１’が接続されている。第１ワイヤ４８１’は、半導体発光素子４’の上面に形成された電極と主面第２部３１２’とに接続されている。第１ワイヤ４８１’の材質は、特に限定されず、たとえばＡｕである。
【０１２１】
樹脂部５’は、基板１’の一部を覆っている。樹脂部５’を構成する樹脂は、たとえばエポキシ樹脂等の熱硬化性樹脂からなる。樹脂部５’は、基材２’よりも半導体発光素子４’からの光によって劣化しにくい材料からなることが好ましい。本例においては、樹脂部５’は、白色のエポキシ樹脂からなる。樹脂部５’のｚ方向寸法は特に限定されず、たとえば０．４ｍｍ程度である。
【０１２２】
樹脂部５’は、枠状部５０’および主面被覆部５１’を有する。
【０１２３】
枠状部５０’は、図３５に示すように、ｚ方向視において連続した矩形状である。ｚ方向視において、枠状部５０’の端縁と基材２’の端縁とは、互いに一致している。枠状部５０’は、ｚ方向視において半導体発光素子４’を囲んでいる。枠状部５０’は、リフレクタ５０１’を有する。図３７および図３９に示すように、リフレクタ５０１’は、半導体発光素子４’をｘ方向およびｙ方向において挟む面である。リフレクタ５０１’は、ｚ方向において主面２１’から離間するほど半導体発光素子４’からｘ方向またはｙ方向に離間するように傾いている。図示された例においては、枠状部５０’は、主面部３１’の主面第１部３１１’および主面第２部３１２’の各々の一部を覆っている。
【０１２４】
主面被覆部５１’は、図３５、図３７および図４０に示すように、枠状部５０’に繋がっており、主面２１’のうち主面部３１’から露出する部分を覆っている。本実施形態においては、主面２１’のうちｘ方向において主面第１部３１１’と主面第２部３１２’とに挟まれた露出領域を主面被覆部５１’が覆っている。また、図示された例においては、主面被覆部５１’は、主面第１部３１１’の主面部第１傾斜面３１１２’および主面第２部３１２’の主面部第２傾斜面３１２２’を覆っている。図３５および図４０に示すように、主面第１部３１１’は、枠状部５０’によって囲まれた領域をｙ方向に沿って延びている。枠状部５０’は、ｙ方向に互いに離間する２つの部分を含み、主面第１部３１１’は、これら２つの部分同士を連結している。
【０１２５】
主面被覆部５１’は、主面被覆部第１面５１１’を有する。主面被覆部第１面５１１’は、主面２１’と同じ側を向く面であり、図示された例においては、ｚ方向に対して直角な平面である。主面被覆部第１面５１１’は、主面部第１面３１１１’および主面部第１傾斜面３１１２’と面一である。
【０１２６】
透光樹脂部６’は、図３７〜図４０に示すように、樹脂部５’の枠状部５０’によって囲まれた空間に充填されており、主面部３１’の一部、半導体発光素子４’および第１ワイヤ４８１’を覆っている。透光樹脂部６’は、半導体発光素子４’からの光を透過させる材質からなり、たとえばエポキシ樹脂やシリコーン樹脂を主成分とする。透光樹脂部６’は、蛍光物質を含んでいてもよい。たとえば、半導体発光素子４’が青色光を発する場合、青色光によって励起されることにより黄色光を発する蛍光物質を透光樹脂部６’が含んでいてもよい。この場合、半導体発光装置Ｂ１からは白色光が発せられる。
【０１２７】
透光樹脂部６’は、表面６１’を有する。図示された例においては、表面６１’は、ｚ方向下方に湾曲している。このような形状を有する透光樹脂部６’は、たとえば液体の樹脂材料を枠状部５０’によって囲まれた領域に滴下し、これを硬化させることにより形成可能である。
【０１２８】
次に、図４１〜図４５を参照しつつ、半導体発光装置Ｂ１の製造方法の一例について説明する。
【０１２９】
まず、基板１Ｂを用意する。基板１Ｂは、複数の基板１’を製造可能な部材である。以降の説明においては、複数の半導体発光装置Ｂ１を一括して製造する場合を例に説明するが、半導体発光装置Ｂ１の製造方法はこれに限定されない。
【０１３０】
図４１に示すように、基板１Ｂは、基材２Ｂおよび導電部３Ｂを有する。基材２Ｂは、上述した基材２’となるものであり、主面２１’および裏面２２’を有する。導電部３Ｂは、上述した導電部３’となるものであり、複数の主面部３１’および裏面部３２’を有する。基材２Ｂには、第１溝部用貫通孔２５Ｂおよび第２溝部用貫通孔２６Ｂが形成されている。第１溝部用貫通孔２５Ｂおよび第２溝部用貫通孔２６Ｂは、後述の工程において切断されることにより、それぞれ第１溝部２５’および第２溝部２６’となるものである。第１溝部用貫通孔２５Ｂおよび第２溝部用貫通孔２６Ｂは、たとえば断面円形状である。
【０１３１】
次いで、金型８’を基板１Ｂに押し付ける。基板１Ｂは、支持部材（図示略）によってｚ方向図中下方から支持される。金型８’は、主部８１’および凸部８２’を有する。主部８１’は、基板１Ｂからｚ方向に離間した部位である。凸部８２’は、主部８１’からｚ方向に突出した部位である。凸部８２’は、当接面８２１’を有する。当接面８２１’は、凸部８２’のｚ方向における先端に設けられている。当接面８２１’は、ｚ方向に対して直角な平面である。当接面８２１’は、主面第１部３１１’の主面部第１面３１１１’および主面第２部３１２’の主面部第２面３１２１’に当接する。主面２１’のうちｘ方向において主面第１部３１１’と主面第２部３１２’との間に位置する部位と当接面８２１’との間には、隙間が生じている。
【０１３２】
次いで、基板１Ｂと金型８’との間の空間に、たとえば液状の熱硬化性樹脂材料を充填する。その後、この樹脂材料を硬化することにより、図４４および図４５に示す樹脂部５Ｂが形成される。主部８１’と基板１Ｂとの間に充填された樹脂材料は、枠状部５０’を含む部位を形成する。当接面８２１’、主面２１’、主面第１部３１１’および主面第２部３１２’によって規定された隙間に充填された樹脂材料は、主面被覆部５１’を形成する。
【０１３３】
次いで、金型８’を取り除き、半導体発光素子４’および第１ワイヤ４８１’をそれぞれボンディングする。この後は、たとえばポッティングの手法によって透光性の樹脂材料を枠状部５０’によって囲まれた空間に充填し、これを硬化させることにより、透光樹脂部６’を形成する。基板１Ｂおよび樹脂部５Ｂを適宜切断することにより、上述した半導体発光装置Ｂ１が得られる。
【０１３４】
次に、半導体発光装置Ｂ１の作用について説明する。
【０１３５】
本実施形態によれば、導電部３’が、第１溝部２５’に沿った第１溝部連結部３３３’を有している。このため、半導体発光装置Ｂ１をたとえば回路基板に実装した際に、はんだフィレットを形成することが可能である。これにより、半導体発光装置Ｂ１の実装強度を高めるとともに、はんだの形成良否を目視によって確認しやすくなる。また、主面第１部３１１’と連結部３３’とは、第１貫通部連結部３３１’および裏面第１部３２１’を介して互いに導通する一方、主面２１’上において互いに離間している。これにより、半導体発光素子４’を主面第１部３１１’に搭載する際の導電性接合材４９１’の材料が、第１溝部連結部３３３’へと広がることを抑制することができる。したがって、半導体発光素子４’の搭載や半導体発光装置Ｂ１の実装を適切に行うことができる。
【０１３６】
導電部３’が、第２溝部２６’に沿った第２溝部連結部３３４’を有している。このため、半導体発光装置Ｂ１のｘ方向両側にはんだフィレットを形成することが可能である。これは、半導体発光装置Ｂ１の実装強度を高めることや、はんだの形成良否を目視にて確認するために好ましい。また、半導体発光素子４’を搭載する際に、導電性接合材４９１’の材料が主面第２部３１２’へと広がったとしても、これが第２溝部連結部３３４’へ到達することを抑制することができる。
【０１３７】
本実施形態によれば、図３５、図３７および図４０に示すように、基材２’の主面２１’のうち主面部３１’から露出した部分が、主面被覆部５１’によって覆われている。これにより、基材２’が半導体発光素子４’からの光に晒されることを抑制することができるので、基材２’の劣化を抑制することが可能である。また、基材２’の材質として、光により劣化し得る材質を選択することが可能となるので、コスト低減を図ることができる。
【０１３８】
樹脂部５’の材質として、基材２’の材質よりも半導体発光素子４’からの光によって劣化しにくい材質を用いることにより、半導体発光素子４’の光による劣化を抑制することができる。
【０１３９】
主面被覆部５１’は、枠状部５０’によって囲まれた領域をｙ方向に横断しており、両端が枠状部５０’に繋がっている。これにより、主面被覆部５１’が主面２１’から離間することを抑制することができる。
【０１４０】
主面被覆部第１面５１１’と主面部第１面３１１１’および主面部第２面３１２１’とが互いに面一であることにより、これらによって大きな平面を構成することが可能である。これにより、半導体発光素子４’からの光をより効率よくｚ方向へと反射することが可能であり、半導体発光装置Ｂ１の高輝度化に好ましい。
【０１４１】
主面第１部３１１’の主面部第１傾斜面３１１２’および主面第２部３１２’の主面部第２傾斜面３１２２’が主面被覆部５１’に覆われていることにより、主面被覆部５１’には、主面部第１傾斜面３１１２’および主面部第２傾斜面３１２２’に対応した曲面が形成される。この曲面により、主面被覆部５１’に応力が集中することを緩和することができる。
【０１４２】
図４６〜図５４は、本開示の第２の側面における変形例および他の実施形態を示している。これらの図において、上述した実施形態と同一または類似の要素には、当該実施形態と同一の符号を付している。
【０１４３】
図４６は、半導体発光装置Ｂ１の第１変形例を示す断面図である。図示された半導体発光装置Ｂ１１は、第１貫通孔２７’および第１貫通部連結部３３１’の位置が、上述した半導体発光装置Ｂ１と異なっている。
【０１４４】
本変形例においては、第１貫通孔２７’および第１貫通部連結部３３１’は、ｚ方向視において半導体発光素子４’と重なる位置に配置されている。言い換えると、第１貫通部連結部３３１’は、半導体発光素子４’のｚ方向直下に位置する。
【０１４５】
本変形例によっても、半導体発光素子４’の搭載や半導体発光装置Ｂ１１の実装を適切に実現することができる。また、第１貫通部連結部３３１’が半導体発光素子４’の直下に設けられていることにより、半導体発光素子４’からの放熱を促進することができる。本変形例から理解されるように、第１貫通部連結部３３１’および第２貫通部連結部３３２’の位置は、適宜改変可能である。第１貫通部連結部３３１’および第２貫通部連結部３３２’は、複数個設けられていてもよい。
【０１４６】
図４７は、半導体発光装置Ｂ１の第２変形例を示す断面図である。本変形例の半導体発光装置Ｂ１２は、樹脂部５’の構造が、上述した半導体発光装置Ｂ１と異なっている。
【０１４７】
本変形例の樹脂部５’は、金型８’による樹脂成形ではなく、たとえば、予め形成しておいた樹脂部５’（または樹脂部５’を形成可能な複数の樹脂中間品）を、基板１’（基板１Ｂ）に接合することによって形成されている。樹脂部５’は、たとえば接合層５９’によって基板１’に接合される。接合層５９’は、たとえば接着剤からなる。本変形例の樹脂部５’は、上述した主面被覆部５１’を有していない。
【０１４８】
本変形例によっても、半導体発光素子４’の搭載や半導体発光装置Ｂ１２の実装を適切に実現することができる。また、本変形例から理解されるように、樹脂部５’の具体的構成は特に限定されず、他の変形例および実施形態においては、樹脂部５’に対し、種々の構成を採用することが可能である。
【０１４９】
図４８は、半導体発光装置Ｂ１の第３変形例を示す断面図である。本変形例の半導体発光装置Ｂ１３は、第１溝部２５’および第２溝部２６’を覆う構造が、上述した半導体発光装置Ｂ１と異なっている。
【０１５０】
半導体発光装置Ｂ１３は、第１絶縁層７１’および第２絶縁層７２’を備えている。第１絶縁層７１’は、第１溝部２５’をｚ方向上方から塞いでいる。第２絶縁層７２’は、第２溝部２６’をｚ方向上方から塞いでいる。第１絶縁層７１’および第２絶縁層７２’は、たとえば、絶縁性のレジスト層からなる。第１絶縁層７１’および第２絶縁層７２’の形状は特に限定されず、たとえば、上述の主面第３部３１５’および主面第４部３１６’と同様の形状としてもよい。第１絶縁層７１’および第２絶縁層７２’は、たとえば、図４１の基材２Ｂの第１溝部用貫通孔２５Ｂおよび第２溝部用貫通孔２６Ｂに対して、レジスト層をなすフィルムを押圧するようにして形成される。この場合、第１絶縁層７１’および第２絶縁層７２’は、図示の例のように、第１溝部２５’および第２溝部２６’に一部が食い込んだ形状となる。
【０１５１】
本変形例によっても、半導体発光素子４’の搭載や半導体発光装置Ｂ１３の実装を適切に実現することができる。また、第１絶縁層７１’および第２絶縁層７２’は、樹脂部５’と基板１との接合強度の向上に資する。
【０１５２】
図４９は、第２の側面の２実施形態に係る半導体発光装置を示す断面図である。図示された半導体発光装置Ｂ２は、主に導電部３’の構成が上述した半導体発光装置Ｂ１と異なっている。
【０１５３】
基材２’には、第１貫通孔２７’が形成されているが、第２貫通孔２８’（図３７参照）は形成されていない。本実施形態の連結部３３’は、第１貫通部連結部３３１’を有するが、第２貫通部連結部３３２’（図３７参照）を有しない。
【０１５４】
本実施形態の主面部３１’では、主面第２部３１２’と主面第４部３１６’とが互いに繋がっている。主面第４部３１６’は、第２溝部連結部３３４’によって裏面第２部３２２’に連結されている。
【０１５５】
本実施形態によっても、半導体発光素子４’の搭載や半導体発光装置Ｂ２の実装を適切に実現することができる。また、主面第２部３１２’と主面第４部３１６’とが繋がっている構成であっても、導電性接合材４９１’の形成工程において、導電性接合材４９１’の材料が主面第２部３１２’へと広がることを防止すれば、意図しない不具合を抑制することができる。
【０１５６】
図５０および図５１は、第２の側面の３実施形態に係る半導体発光装置Ｂ３を示している。図５０は、半導体発光装置Ｂ３を示す平面図であり、図５１は、半導体発光装置Ｂ３を示す底面図である。
【０１５７】
本実施形態においては、基材２’が２つの第１溝部２５’および２つの第２溝部２６’を有する。２つの第１溝部２５’は、基材２’の主面２１’のｙ方向の両端にそれぞれ個別に接している。２つの第２溝部２６’は、基材２’の主面２１’のｙ方向の両端にそれぞれ個別に接している。
【０１５８】
主面部３１’は、２つの主面第３部３１５’と２つの主面第４部３１６’とを有する。２つの主面第３部３１５’は、２つの第１溝部２５’に沿って個別に形成されている。２つの主面第４部３１６’は、２つの第２溝部２６’に沿って個別に形成されている。
【０１５９】
裏面部３２’は、２つの第３延出部３２５’および２つの第４延出部３２６’を有する。２つの第３延出部３２５’は、２つの第１溝部２５’の一部ずつに沿っており、裏面第１部３２１’からｙ方向に延出している。２つの第３延出部３２５’は、裏面２２’のｙ方向両端に個別に到達している。２つの第４延出部３２６’は、２つの第２溝部２６’の一部ずつに沿っており、裏面第２部３２２’からｙ方向に延出している。２つの第４延出部３２６’は、裏面２２’のｙ方向両端に個別に到達している。
【０１６０】
裏面第１部３２１’は、２つの凹部３２１５’を有する。２つの凹部３２１５’は、２つの第１溝部２５’の一部ずつに個別に沿っている。裏面第２部３２２’は、２つの凹部３２２５’を有する。２つの凹部３２２５’は、２つの第２溝部２６’の一部ずつに個別に沿っている。
【０１６１】
本実施形態によっても、半導体発光素子４’の搭載や半導体発光装置Ｂ３の実装を適切に実現することができる。また、本実施形態から理解されるように、第１溝部２５’および第２溝部２６’の個数や配置は何ら限定されない。本実施形態のように、第１溝部２５’および第２溝部２６’を、基材２’のｚ方向視における隅部に配置すれば、主面第１部３１１’や主面第２部３１２’との干渉を回避しやすいという利点がある。
【０１６２】
図５２は、第２の側面の４実施形態に係る半導体発光装置Ｂ４を示す断面図である。半導体発光装置Ｂ４は、第１ワイヤ４８１’および第２ワイヤ４８２’を有する。
【０１６３】
本実施形態の半導体発光素子４’は、上面に２つの電極を有する、いわゆる２ワイヤタイプの半導体発光素子である。第１ワイヤ４８１’は、半導体発光素子４’の一方の電極と主面第２部３１２’とに接続されている。第２ワイヤ４８２’は、半導体発光素子４’の他方の電極と主面第１部３１１’とに接続されている。
【０１６４】
半導体発光素子４’は、接合材４９２’によって主面第１部３１１’の主面部第１面３１１１’に接合されている。接合材４９２’は、導電性であってもよいし、絶縁性であってもよい。
【０１６５】
本実施形態によっても、半導体発光素子４’の搭載や半導体発光装置Ｂ４の実装を適切に実現することができる。
【０１６６】
図５３および図５４は、第２の側面の５実施形態に係る半導体発光装置Ｂ５を示す断面図である。図５３は、半導体発光装置Ｂ５を示す平面図である。図５４は、図５３のＬＩＶ−ＬＩＶ線に沿う断面図である。半導体発光装置Ｂ５においては、主に、半導体発光素子４’の構成が、上述した実施形態と異なっている。
【０１６７】
本実施形態の半導体発光素子４’は、フリップチップタイプのＬＥＤチップである。半導体発光素子４’の一方の電極は、主面第１部３１１’に導電性接合材４９１’によって導通接合されている。半導体発光素子４’の他方の電極は、主面第２部３１２’に導電性接合材４９１’によって導通接合されている。導電性接合材４９１’は、たとえば、はんだやＡｇペーストである。
【０１６８】
本実施形態においては、半導体発光素子４’が基材２’の略中央に配置されている。これに対応して、主面第１部３１１’と主面第２部３１２’とのｘ方向寸法は、略同じとされている。また、主面被覆部５１’は、半導体発光装置Ｂ５のｘ方向における略中央に位置している。裏面第１部３２１’と裏面第２部３２２’とのｘ方向寸法は、略同じとされている。
【０１６９】
本実施形態によっても、半導体発光素子４’の搭載や半導体発光装置Ｂ５の実装を適切に実現することができる。また、半導体発光装置Ｂ４および半導体発光装置Ｂ５から理解されるように、本開示の半導体発光素子４’の具体的構成は何ら限定されず、他の構成要素の様々な態様と適宜組み合わせて採用することができる。
【０１７０】
半導体発光素子４’の基板１上における配置は特に限定されない、ｚ方向視において、半導体発光素子４’の中心が基材２’の中心と一致する配置でもよいし、半導体発光素子４’がｚ方向の中心と重なる配置でもよい。また、半導体発光素子４’が、基材２’の中心から離れた配置であってもよい。
【０１７１】
本開示の第２の側面に基づく半導体発光装置および半導体発光装置の製造方法は、上述した実施形態に限定されるものではない。本開示の第２の側面に係る半導体発光装置および半導体発光装置の製造方法の構成は、種々に設計変更自在である。本開示の第２の側面に係る半導体発光装置は、たとえば、以下の付記Ｂ１〜Ｂ２０のように規定することができる。
【０１７２】
付記Ｂ１．基材および導電部を有する基板と、
前記基板に支持された半導体発光素子と、
前記基板の少なくとも一部を覆う樹脂部と、を備える半導体発光装置であって、
前記基材は、厚さ方向において互いに反対側を向く主面および裏面と、前記主面および前記裏面を繋ぎ且つ前記厚さ方向と直角である第１方向において互いに反対側に位置する第１側面および第２側面と、前記第１側面から凹み且つ前記主面および前記裏面に到達する第１溝部と、前記厚さ方向に貫通する第１貫通孔と、を有し、
前記導電部は、前記主面に形成された主面部と、前記裏面に形成された裏面部と、前記第１溝部に形成された第１溝部連結部および前記第１貫通孔に形成された第１貫通孔連結部を少なくとも含む連結部と、を有し、
前記主面部は、前記半導体発光素子が搭載された主面第１部を有し、
前記裏面部は、裏面第１部を有し、
前記第１貫通孔連結部は、前記主面第１部と前記裏面第１部とを連結しており、
前記第１溝部連結部は、前記裏面第１部に連結しており、
前記主面第１部と前記第１溝部連結部とは、互いに離間している、半導体発光装置。
付記２Ｂ．前記主面部は、前記第１溝部を前記厚さ方向視において覆い且つ前記第１溝部連結部によって前記裏面第１部と連結された主面第３部を有する、付記１Ｂに記載の半導体発光装置。
付記３Ｂ．前記第１溝部は、前記厚さ方向および前記第１方向と直角である第２方向における前記主面の両端から離間している、付記１Ｂまたは２Ｂに記載の半導体発光装置。
付記４Ｂ．前記第１溝部は、前記厚さ方向および前記第１方向と直角である第２方向における前記主面の両端のいずれかに接している、付記１Ｂまたは２Ｂに記載の半導体発光装置。
付記５Ｂ．前記基材は、前記厚さ方向および前記第１方向と直角である第２方向における前記主面の両端に個別に接する２つの前記第１溝部を有する、付記１Ｂまたは２Ｂに記載の半導体発光装置。
付記６Ｂ．前記主面第１部と前記裏面第１部とは、前記厚さ方向視において互いに重なる、付記１Ｂないし５Ｂのいずれかに記載の半導体発光装置。
付記７Ｂ．前記第１溝部連結部は、前記第１溝部の内面に沿って形成されている、付記１Ｂないし６Ｂのいずれかに記載の半導体発光装置。
付記８Ｂ．前記第１貫通孔連結部は、前記第１貫通孔に充填されている、付記１Ｂないし７Ｂのいずれかに記載の半導体発光装置。
付記９Ｂ．前記第１溝部を前記厚さ方向視において覆う第１絶縁層を備える、付記１Ｂに記載の半導体発光装置。
付記１０Ｂ．ワイヤをさらに備える構成において、前記主面部は、前記主面第１部から離間した主面第２部を有し、前記ワイヤは、前記半導体発光素子と前記主面第２部とに接続されている、付記１Ｂないし９Ｂのいずれかに記載の半導体発光装置。
付記１１Ｂ．前記基材は、前記第２側面から凹み且つ前記主面および前記裏面に到達する第２溝部と、前記厚さ方向に貫通する第２貫通孔と、を有し、
前記裏面部は、前記裏面第１部から離間した裏面第２部を有し、
前記連結部は、前記第２溝部に形成された第２溝部連結部および前記第２貫通孔に形成された第２貫通孔連結部を含み、
前記第２貫通孔連結部は、前記主面第２部と前記裏面第２部とを連結しており、
前記第２溝部連結部は、前記裏面第２部に連結しており、
前記主面第２部と前記第２溝部連結部とは、互いに離間している、付記１０Ｂに記載の半導体発光装置。
付記１２Ｂ．前記主面部は、前記第２溝部を前記厚さ方向視において覆い且つ前記第２溝部連結部によって前記裏面第２部と連結された主面第４部を有する、付記１１Ｂに記載の半導体発光装置。
付記１３Ｂ．前記第２溝部は、前記厚さ方向および前記第１方向と直角である第２方向における前記主面の両端から離間している、付記１１Ｂまたは１２Ｂに記載の半導体発光装置。
付記１４Ｂ．前記第２溝部は、前記厚さ方向および前記第１方向と直角である第２方向における前記主面の両端のいずれかに接している、付記１１Ｂまたは１２Ｂに記載の半導体発光装置。
付記１５Ｂ．前記基材は、前記厚さ方向および前記第１方向と直角である第２方向における前記主面の両端に個別に接する２つの前記第２溝部を有する、付記１１Ｂまたは１２Ｂに記載の半導体発光装置。
付記１６Ｂ．前記主面第２部と前記裏面第２部とは、前記厚さ方向視において互いに重なる、付記１１Ｂないし１５Ｂのいずれかに記載の半導体発光装置。
付記１７Ｂ．前記第２溝部連結部は、前記第２溝部の内面に沿って形成されている、付記１１Ｂないし１６Ｂのいずれかに記載の半導体発光装置。
付記１８Ｂ．前記第２貫通孔連結部は、前記第２貫通孔に充填されている、付記１１Ｂないし１７Ｂのいずれかに記載の半導体発光装置。
付記１９Ｂ．前記第２溝部を前記厚さ方向視において覆う第２絶縁層を備える、付記１１Ｂに記載の半導体発光装置。
付記２０．前記樹脂部は、前記厚さ方向視において前記半導体発光素子を囲む枠状部と、前記枠状部に繋がり且つ前記基材の前記主面のうち前記主面部から露出する部分を覆う主面被覆部と、を含む、付記１Ｂないし１９Ｂのいずれかに記載の半導体発光装置。
【符号の説明】
【０１７３】
Ａ１，Ａ１１，Ａ２，Ａ３，Ａ４，Ａ５，Ａ６：半導体発光装置
１        ：基板
１Ａ      ：基板
２        ：基材
２Ａ      ：基材
３        ：導電部
３Ａ      ：導電部
４        ：半導体発光素子
５        ：樹脂部
５Ａ      ：樹脂部
６        ：透光樹脂部
８        ：金型
２１      ：主面
２２      ：裏面
２５      ：導電部用第１貫通孔
２６      ：導電部用第２貫通孔
２８      ：樹脂部用貫通孔
３１      ：主面部
３２      ：裏面部
３３      ：第１連結部
３４      ：第２連結部
５０      ：枠状部
５１      ：主面被覆部
５２      ：裏面被覆部
５３      ：連結部
８１      ：主部
８２      ：凸部
８３      ：副部
３１１    ：主面第１部
３１２    ：主面第２部
３１３    ：第１延出部
３１４    ：第２延出部
３２１    ：裏面第１部
３２２    ：裏面第２部
４８１    ：第１ワイヤ
４８２    ：第２ワイヤ
４９１    ：第１導電性接合材
４９２    ：第２導電性接合材
５０１    ：リフレクタ
５１１    ：主面被覆部第１面
５２１    ：裏面被覆部第１面
８２１    ：当接面
８３１    ：当接面
３１１１  ：主面部第１面
３１１２  ：主面部第１傾斜面
３１２１  ：主面部第２面
３１２２  ：主面部第２傾斜面
３２１１  ：裏面部第１面
３２１２  ：裏面部第１傾斜面
３２２１  ：裏面部第２面
３２２２  ：裏面部第２傾斜面
Ｂ１，Ｂ１１，Ｂ１２，Ｂ１３，Ｂ２，Ｂ３，Ｂ４，Ｂ５：半導体発光装置
１’，１Ｂ  ：基板
２’，２Ｂ  ：基材
３’，３Ｂ  ：導電部
４’        ：半導体発光素子
５’，５Ｂ  ：樹脂部
６’        ：透光樹脂部
８’        ：金型
２１’      ：主面
２２’      ：裏面
２３’      ：第１側面
２４’      ：第２側面
２５’      ：第１溝部
２５Ｂ    ：第１溝部用貫通孔
２６’      ：第２溝部
２６Ｂ    ：第２溝部用貫通孔
２７’      ：第１貫通孔
２８’      ：第２貫通孔
３１’      ：主面部
３２’      ：裏面部
３３’      ：連結部
５０’      ：枠状部
５１’      ：主面被覆部
５９’      ：接合層
６１’      ：表面
７１’      ：第１絶縁層
７２’      ：第２絶縁層
８１’      ：主部
８２’      ：凸部
３１１’    ：主面第１部
３１２’    ：主面第２部
３１５’    ：主面第３部
３１６’    ：主面第４部
３２１’    ：裏面第１部
３２２’    ：裏面第２部
３２３’    ：第１延出部
３２４’    ：第２延出部
３２５’    ：第３延出部
３２６’    ：第４延出部
３３１’    ：第１貫通部連結部
３３２’    ：第２貫通部連結部
３３３’    ：第１溝部連結部
３３４’    ：第２溝部連結部
４８１’    ：第１ワイヤ
４８２’    ：第２ワイヤ
４９１’    ：導電性接合材
４９２’    ：接合材
５０１’    ：リフレクタ
５１１’    ：主面被覆部第１面
８２１’    ：当接面
３１１１’  ：主面部第１面
３１１２’  ：主面部第１傾斜面
３１２１’  ：主面部第２面
３１２２’  ：主面部第２傾斜面
３２１５’  ：凹部
３２２５’  ：凹部
【図１】
2020167366.tif 000003
【図２】
2020167366.tif 000004
【図３】
2020167366.tif 000005
【図４】
2020167366.tif 000006
【図５】
2020167366.tif 000007
【図６】
2020167366.tif 000008
【図７】
2020167366.tif 000009
【図８】
2020167366.tif 000010
【図９】
2020167366.tif 000011
【図１０】
2020167366.tif 000012
【図１１】
2020167366.tif 000013
【図１２】
2020167366.tif 000014
【図１３】
2020167366.tif 000015
【図１４】
2020167366.tif 000016
【図１５】
2020167366.tif 000017
【図１６】
2020167366.tif 000018
【図１７】
2020167366.tif 000019
【図１８】
2020167366.tif 000020
【図１９】
2020167366.tif 000021
【図２０】
2020167366.tif 000022
【図２１】
2020167366.tif 000023
【図２２】
2020167366.tif 000024
【図２３】
2020167366.tif 000025
【図２４】
2020167366.tif 000026
【図２５】
2020167366.tif 000027
【図２６】
2020167366.tif 000028
【図２７】
2020167366.tif 000029
【図２８】
2020167366.tif 000030
【図２９】
2020167366.tif 000031
【図３０】
2020167366.tif 000032
【図３１】
2020167366.tif 000033
【図３２】
2020167366.tif 000034
【図３３】
2020167366.tif 000035
【図３４】
2020167366.tif 000036
【図３５】
2020167366.tif 000037
【図３６】
2020167366.tif 000038
【図３７】
2020167366.tif 000039
【図３８】
2020167366.tif 000040
【図３９】
2020167366.tif 000041
【図４０】
2020167366.tif 000042
【図４１】
2020167366.tif 000043
【図４２】
2020167366.tif 000044
【図４３】
2020167366.tif 000045
【図４４】
2020167366.tif 000046
【図４５】
2020167366.tif 000047
【図４６】
2020167366.tif 000048
【図４７】
2020167366.tif 000049
【図４８】
2020167366.tif 000050
【図４９】
2020167366.tif 000051
【図５０】
2020167366.tif 000052
【図５１】
2020167366.tif 000053
【図５２】
2020167366.tif 000054
【図５３】
2020167366.tif 000055
【図５４】
2020167366.tif 000056